(57)【特許請求の範囲】
【請求項１】
番号を合わせることにより解錠できる番号錠と、円筒に把手をつけた回転つまみと、前記円筒内にあってタンブラーで前記円筒の内面の凹部に係合されて強制解錠鍵で係合を解除できるシリンダー錠と、前記番号錠の施錠に応じて前記回転つまみをロックするロック機構と、前記シリンダー錠の解錠に応じて前記ロック機構を無効化する強制解錠手段とを具備するシリンダー錠付番号錠において、前記強制解錠鍵を使用することなく前記シリンダー錠を回すことにより、前記タンブラーを強制解錠状態から通常状態に戻せるスロープ部を、前記円筒の内面の強制解錠位置から前記凹部にわたって設けたことを特徴とするシリンダー錠付番号錠。
【発明の詳細な説明】
【技術分野】
【０００１】
本発明は、シリンダー錠付番号錠に関し、特に、TSA鍵による誤解錠状態を容易に解除できるシリンダー錠付番号錠に関する。
【背景技術】
【０００２】
従来、旅行鞄用などの錠前として、番号錠とシリンダー錠を併用したTSA錠がある。TSA錠は、税関で旅行鞄の内容物を検査できるように、TSA鍵で解錠できるようになっている。TSA鍵は、TSA（Transportation Security Administration: アメリカ運輸保安局）が治安維持のために保有する特別の鍵である。旅行鞄に固定されたTSA錠のダイアル番号を解錠番号からずらすと施錠される。ダイアル番号を解錠番号に合わせると解錠される。税関で検査する場合は、TSA鍵でシリンダー錠を解錠すると番号錠が無効化される。以下に、これに関連する従来技術の例をあげる。
【０００３】
特許文献１に開示された「複合ダイアル錠前」は、施錠された不特定多数の番号錠を一つの共通の鍵で解錠するものである。図３（ａ）に示すように、番号軸に遊嵌された複数個のダイアルナンバーがある。止め金具を着脱する施錠板を有する番号錠がある。共通の鍵でカム操作できるカムを有するシリンダー錠がある。番号錠とシリンダー錠とは、番号錠のダイアル軸の一端がシリンダー錠のカムにカム係合できるように取り付けられている。番号錠の施錠板をダイアルナンバーのダイアル操作と鍵によるカム操作のいずれでも解錠状態にして番号錠を解錠する。
【０００４】
特許文献２に開示された「かばん用組合せ錠」は、２つの錠で施錠するかばん錠である。図３（ｂ）に示すように、数字錠と鍵錠が錠ケースに組み込まれている。施錠位置と解錠位置の間を動く保持部材がある。いずれの錠も、保持部材を他の錠と独立に動かすことができる。
【０００５】
特許文献３に開示された「複合錠前」は、複合錠構造をもつ二重構造錠である。図３（ｃ）に示すように、キー錠には内筒と外筒がある。固定板は、外筒上の固定溝に埋め込まれている。複合錠構造には、外筒に結合された錠心棒に軸で結合された複数の複合輪がある。錠心棒の他端と錠本体の間にバネがある。内筒はパネルから突き出ている。つまみはパネルについている。摺動部材は、外筒の内溝に結合したり、内溝から分離したりするようになっている。錠心棒と複合輪の動きで、固定板と外筒が結合したり分離したりする。キーの動きが内筒を介して伝わり、結合と分離が行なわれる。
【０００６】
特許文献４に開示された「副錠付組合せ錠」は、番号錠と鍵錠の組合せ錠である。図３（ｄ）に示すように、ダイアルを操作して施錠と解錠ができる。鍵で解錠できる。
【０００７】
特許文献５に開示された「複合錠」は、２つの錠がある複合錠である。図３（ｅ）に示すように、２つの挿入端を利用してループを作って、対象物を施錠できる。２つの錠は独立に操作できる。
【０００８】
特許文献６に開示された「マスターキー式複合錠」は、マスターキーでかばんの中身を見るための特権機構をもつ掛金錠である。図３（ｆ）に示すように、大型収納箱などの種々の収納具や運搬具に利用できる。この掛金錠には、施錠状態を強制的に解く機構がある。回転腕が、施錠状態にし、解錠状態にする。回転腕は、マスターキーで動かされるカムで動く。錠が特権操作されたら、回転腕は回転して、摺動子が横に動き、レバーが移動する。これで解錠されて、かばんの中身を見ることができる。
【０００９】
特許文献７に開示された「番号錠鍵錠併用錠」は、番号錠と鍵錠があるベルト用の錠である。図３（ｇ）に示すように、錠本体とバックルがあり、バックルで帯を錠本体に結合することで、かばんなどを括る。検査係官は、特別鍵で解錠できる。鍵で解錠したことを示す表示部がある。
【００１０】
【特許文献１】特開2006-348728号公報
【特許文献２】米国特許第5237842号明細書
【特許文献３】米国特許第6598434号明細書
【特許文献４】米国特許第6912880号明細書
【特許文献５】米国特許公開第2005/0235705号公報
【特許文献６】米国特許公開第2006/0248930号公報
【特許文献７】米国特許公開第2007/0084256号公報
【発明の開示】
【発明が解決しようとする課題】
【００１１】
しかし、従来のTSA錠では次のような問題がある。施錠されたTSA錠をTSA鍵で強制解錠した状態で持ち主に返却されることがある。この強制解錠状態では、持ち主はかばんに施錠できない。
【００１２】
本発明の目的は、上記従来の問題を解決して、TSA錠において、強制解錠された状態を容易に通常の施錠状態に戻せるようにすることである。
【課題を解決するための手段】
【００１３】
上記の課題を解決するために、本発明では、番号を合わせることにより解錠できる番号錠と、円筒に把手をつけた回転つまみと、円筒内にあってタンブラーで円筒の内面の凹部に係合されて強制解錠鍵で係合を解除できるシリンダー錠と、番号錠の施錠に応じて回転つまみをロックするロック機構と、シリンダー錠の解錠に応じてロック機構を無効化する強制解錠手段とを具備するシリンダー錠付番号錠に、タンブラーを強制解錠状態から通常状態に戻せるスロープ部を、円筒の内面の強制解錠位置から凹部にわたって設けた。
【発明の効果】
【００１４】
上記のように構成したことにより、強制解錠された状態を容易に通常の施錠状態に戻せる。
【発明を実施するための最良の形態】
【００１５】
以下、本発明を実施するための最良の形態について、図１と図２を参照しながら詳細に説明する。
【実施例】
【００１６】
本発明の実施例は、回転つまみの円筒内面に、シリンダー錠のタンブラーを強制解錠位置から通常位置に戻せるスロープ部を設けたシリンダー錠付番号錠である。
【００１７】
図１は、本発明の実施例におけるシリンダー錠付番号錠の斜視図である。図２は、シリンダー錠付番号錠の動作説明図である。図１と図２において、番号錠１は、番号を合わせることにより解錠できる錠である。シリンダー錠２は、強制解錠鍵で解錠できる錠である。回転つまみ３は、解錠状態で把手を回してロックを解く手段である。円筒４は、シリンダー錠を包む筒である。スロープ部５は、筒の内面に設けた斜面である。タンブラー６は、施錠状態のシリンダー錠を円筒に係止する部材である。
【００１８】
上記のように構成された本発明の実施例におけるシリンダー錠付番号錠の機能と動作を説明する。最初に、図１を参照しながら、シリンダー錠付番号錠の機能の概要を説明する。番号錠１の番号が合っていて、ロックが解錠された状態では、かばんの鈎を非係止状態にして、かばんを開けることができる。番号錠１の番号が解錠番号から変えられた施錠状態になると、回転つまみ３が回転できないようになる。
【００１９】
この通常施錠状態で、シリンダー錠２がTSA鍵で解錠されると、回転つまみ３とシリンダー錠２の係合が解除されて、シリンダー錠２が回転できるようになる。シリンダー錠２を回転させると、かばんを開けることができる。円筒４に、タンブラー６を強制解錠位置から通常施錠位置に戻せるスロープ部５を設けてある。シリンダー錠２が強制解除状態のまま、かばんが返されても、ドライバーなどでシリンダー錠２を回すと、シリンダー錠２は通常位置に戻る。
【００２０】
図１（ｂ）に示すように、円筒４の中にシリンダー錠２が入っている。図１（ｂ）、（ｃ）に示すように、円筒４の内面をスロープ状にしてある。円筒４の内面の強制解錠位置から凹部にわたって、タンブラー６を強制解錠状態から通常状態に戻せるスロープ部５を設けてある。図１（ｄ）に示すように、タンブラー６が円筒４の内面に接する部分の角を丸くしてある。
【００２１】
次に、図２を参照しながら、シリンダー錠の動作を説明する。従来のシリンダー錠では、図２（ａ）、（ｂ）、（ｃ）に示すように、鍵が挿してある場合には、タンブラー６が引っ込んでいるので、シリンダー錠２を回すことができる。しかし、図２（ａ）、（ｃ）の状態では、シリンダー錠２を回すことができない。ただし、途中の図２（ｂ）の状態で鍵を抜くと、ドライバーなどで回して、図２（ａ）、（ｃ）の状態に戻すことができる。
【００２２】
本実施例のシリンダー錠では、円筒４の内面の壁をスロープ状にしてあるので、解錠状態から施錠状態に、シリンダー錠２の鍵孔をドライバーなどで回して戻すことができる。図２（ｄ）は、施錠状態である。鍵を挿して回すと、図２（ｅ）の状態になる。解錠状態にして鍵を抜くと、図２（ｆ）のようになる。この状態で鍵を挿して逆に回すと、従来と同様に、図２（ｅ）の状態を経て図２（ｄ）の施錠状態に戻る。図２（ｇ）に示す強制解錠状態のまま鍵を抜いても、鍵孔にドライバーを差し込んで左に回すと、タンブラー６の先端がスロープ部５をたどって押し込まれ、図２（ｈ）に示す状態になる。さらに左に回すと、タンブラー６の先端は円筒４の内面の凹部に入り、図２（ｉ）に示す施錠状態になる。すなわち、通常の施錠状態である図２（ｄ）に示す状態になる。
【００２３】
上記のように、本発明の実施例では、シリンダー錠付番号錠の回転つまみの円筒内面に、シリンダー錠のタンブラーを強制解錠位置から通常位置に戻せるスロープ部を設けたので、強制解錠された状態を、ドライバーなどで容易に通常の施錠状態に戻せる。
【産業上の利用可能性】
【００２４】
本発明のシリンダー錠付番号錠は、TSA錠として最適である。
【図面の簡単な説明】
【００２５】
【図１】本発明の実施例におけるシリンダー錠付番号錠の斜視図である。
【図２】本発明の実施例におけるシリンダー錠付番号錠の動作説明図である。
【図３】従来のシリンダー錠付番号錠の概念図である。
【符号の説明】
【００２６】
１  番号錠
２  シリンダー錠
３  回転つまみ
４  円筒
５  スロープ部
６  タンブラー
【図１】
0005036498.tif 000002
【図２】
0005036498.tif 000003
【図３】
0005036498.tif 000004